(57)【要約】      （修正有）【課題】暗順応条件下での視機能検査を良好に行うことができる視機能検査装置を提供する。【解決手段】視機能検査装置は、検査光学系によって、眼底Ｅｒの検査部位へ刺激光と、背景光とを照射し、制御部８０によって、刺激光による被検者の反応を応答ボタン７ｃの操作に基づいて取得する。また、制御部８０は、検査光学系から検査部位への刺激光の照射位置を少なくとも制御する。検査光学系は、背景光を暗順応に対応する輝度で照射すると共に、青色錐体細胞の感度ピーク（４２０ｎｍ）よりも長波長側に下限を持ち、緑色錐体細胞の感度ピーク（５３４ｎｍ）よりも短波長側に上限を持ち、且つ、少なくとも杆体細胞の感度ピーク（４９８ｎｍ）を含んだ波長帯で、刺激光および背景光を照射する。【選択図】図８
2018201835.tif 000002
【特許請求の範囲】
【請求項１】
被検眼の眼底の検査部位へ刺激光と、背景光とを照射する投光光学系と、
前記刺激光による被検者の反応を取得する反応取得手段と、
前記投光光学系から前記検査部位への前記刺激光の照射位置を少なくとも制御する制御手段と、を有する視機能検査装置であって、
前記投光光学系は、前記背景光を暗順応に対応する輝度で照射すると共に、青色錐体細胞の感度ピークよりも長波長側に下限を持ち、緑色錐体細胞の感度ピークよりも短波長側に上限を持ち、且つ、少なくとも杆体細胞の感度ピークを含んだ波長帯である第１波長帯で、前記刺激光および前記背景光を照射する視機能検査装置。
【請求項２】
前記投光光学系は、前記第１波長帯を透過し、更に、前記第１波長帯の長波長側および短波長側を遮光するバンドパスフィルタを、有している請求項１記載の視機能検査装置。
【請求項３】
前記投光光学系は、前記第１波長帯における光を減光する特性を持つ減光フィルタを有している請求項１又は２記載の視機能検査装置。
【請求項４】
暗順応条件下での視機能検査を行うために、前記第１波長帯で前記刺激光および前記背景光を照射する第２照射条件と、
明順応条件下での視機能検査を行うために、前記第１波長帯とは異なる波長帯であって、青色、緑色、赤色の各種の錐体細胞において感度がある第２波長帯で、前記刺激光および前記背景光を照射する第２照射条件と、
の間で、前記投光光学系における前記刺激光および前記背景光の照射条件を切換る照射条件切替手段を、備える請求項１記載の視機能検査装置。
【請求項５】
前記照射条件切替手段は、前記第１波長帯を透過し、更に、前記第１波長帯の長波長側および短波長側を遮光するバンドパスフィルタと、前記投光光学系の光路に対する前記バンドパスフィルタの挿脱機構と、を少なくとも含む請求項４記載の視機能検査装置。
【請求項６】
前記照射条件切替手段は、前記第１波長帯における光を減光する特性を持つ減光フィルタと、前記投光光学系の光路に対する前記減光フィルタの挿脱機構と、を更に有している請求項４記載の視機能検査装置。
【請求項７】
前記照射条件切替手段は、前記第１波長帯を透過し、更に、前記第１波長帯の長波長側および短波長側を遮光するバンドパスフィルタと、前記第１波長帯における光を減光する特性を持つ減光フィルタと、が一体化されたフィルタを有し、前記フィルタを前記投光光学系の光路に対して挿脱することで、前記バンドパスフィルタおよび前記減光フィルタをまとめて挿脱する、請求項４記載の視機能検査装置。
【請求項８】
前記減光フィルタと前記バンドパスフィルタとは、互いに異なる層に形成されていることを特徴とする請求項７記載の視機能検査装置。
【請求項９】
前記照射条件切替手段は、前記刺激光および前記背景光の光源と、前記制御手段と、を更に含み、少なくとも前記光源が制御されることにより、前記第１照射条件と前記第２照射条件との間で前記照射条件が切換えられることを特徴とする請求項４から８のいずれかに記載の視機能検査装置。
【請求項１０】
前記照射条件切替手段は、前記刺激光および前記背景光の光源と、前記制御手段と、を更に含み、前記減光フィルタの挿脱と組み合わせて前記光源から発せられる光量を制御することで、前記第１照射条件において前記背景光を暗順応に対応する輝度に設定する、請求項６又は７に記載の視機能検査装置。
【請求項１１】
照明光源からの赤外光を前記被検眼へ照射し、前記被検眼による前記赤外光の反射光を受光して前記被検眼の正面画像を得る撮像光学系を更に有し、
前記撮像光学系が前記被検眼へ照射する赤外光は、赤色錐体細胞に対して実質的に感度がある波長帯よりも長波長側の光である請求項１〜１０のいずれかに記載の視機能検査装置。
【請求項１２】
前記撮像光学系の光路と前記投光光学系の光路とを結合する光路結合手段を有し、
前記バンドパスフィルタは、前記投光光学系の独立光路に配置される請求項３，５，７，８のいずれかに記載の視機能検査装置。
【発明の詳細な説明】
【技術分野】
【０００１】
本開示は、光刺激を被検眼に与えることで視機能を検査する視機能検査装置に関する。
【背景技術】
【０００２】
従来より、被検眼の眼底へ刺激光を投影し、刺激光に対する被検者の反応を得ることで、被検者の視機能を検査する視機能検査装置が知られている。
【０００３】
加齢に伴う網膜色素変成（症）や、黄斑変成症などを含む網膜の病気による視機能の低下が発生した場合において、網膜の暗順応に寄与する杆体細胞では、網膜の明順応に寄与する錐体細胞と比べて、急激な感度の低下が生じる傾向があることが、研究によって明らかになってきている。
【０００４】
このような背景から、暗順応下での視機能検査が提案されている。例えば、非特許文献１には、５３０ｎｍ以下の波長の光を通過させ、それよりも長い波長の光を遮光するショートパスフィルタを、刺激光の光路上に配置させることで、選択的に杆体細胞を刺激する試みが開示されている。
【先行技術文献】
【非特許文献】
【０００５】
【非特許文献１】Michael D Crossland et. al. “Retinal specific measurement of dark-adapted visual function: validation of a modified microperimeter”  BMC Opthalmology, 2011, 11:5
【発明の概要】
【発明が解決しようとする課題】
【０００６】
しかしながら、非特許文献１記載の装置が採用するショートパスフィルタでは、ショートパスフィルタを通過した刺激光が、杆体細胞だけでなく青色錐体細胞まで刺激してしまう恐れがあり、その場合、杆体細胞の機能のみを評価できない可能性があった。
【０００７】
本開示は、上記した問題点を解決するためのものであり、暗順応条件下での視機能検査を良好に行うことができる視機能検査装置を提供することを目的とする。
【課題を解決するための手段】
【０００８】
本開示の一態様に係る視機能検査装置は、被検眼の眼底の検査部位へ刺激光と、背景光とを照射する投光光学系と、前記刺激光による被検者の反応を取得する反応取得手段と、前記投光光学系から前記検査部位への前記刺激光の照射位置を少なくとも制御する制御手段と、を有する視機能検査装置であって、前記投光光学系は、前記背景光を暗順応に対応する輝度で照射すると共に、青色錐体細胞の感度ピークよりも長波長側に下限を持ち、緑色錐体細胞の感度ピークよりも短波長側に上限を持ち、且つ、少なくとも杆体細胞の感度ピークを含んだ波長帯である第１波長帯で、前記刺激光および前記背景光を照射する。
【発明の効果】
【０００９】
本開示によれば、暗順応条件下での視機能検査を良好に行うことができる。
【図面の簡単な説明】
【００１０】
【図１】錐体細胞、杆体細胞のそれぞれにおける、波長感度特性を示したグラフである。
【図２】網膜における錐体細胞、杆体細胞のそれぞれの分布を示した図である。
【図３】イソプターの表示例を示した図である。
【図４】実施例に係る装置の外観構成図である。
【図５】実施例に係る装置における光学系を示した図である。
【図６】実施例に係るＮＤフィルタの波長透過特性を示したグラフである。
【図７】実施例に係るバンドパスフィルタの波長透過特性を示したグラフである。
【図８】実施例に係る装置における制御系を示した図である。
【図９】実施例に係る装置における動作を説明するためのフローチャートである。
【図１０】静的検査における検査パターンの設定方法を説明するための図である。
【発明を実施するための形態】
【００１１】
［概要］
以下、本開示を、実施形態に基づいて説明する。実施形態に係る視機能検査装置は、被検眼における眼底の検査部位へ刺激光（刺激視標）を投光し、刺激光に対する被検者の反応を得ることにより、被検者の視機能を検査する。以下、実施形態に係る視機能検査装置を、「本装置」と称する。本装置は、少なくとも、投光光学系、反応取得部、および、制御部を含む。本装置は、例えば、静的視野計であってもよいし、動的視野計であってもよいし、他の検査装置であってもよい。
【００１２】
本装置は、暗順応条件下での視機能検査（以下、「Scotopic検査」と称す）を少なくとも実行する。Scotopic検査では、暗順応に寄与する杆体細胞の機能が検査される。以下説明するように、本装置は、更に、明順応条件下での視機能検査（以下、「Photopic検査」と称す）を実行してもよい。Photopic検査では、明順応に寄与する錐体細胞の機能が検査される。
【００１３】
また、本装置は、撮像光学系を更に有してもよい。検査中に撮像光学系によって撮像される被検眼の画像は、例えば、投光光学系の制御、および、検査の適否判定等のいずれかに利用されてもよい。撮像光学系は、前眼部の正面画像を撮影してもよいし、眼底の正面画像を撮影してもよい。
【００１４】
＜投光光学系＞
投光光学系は、光源（「刺激光源」ともいう）からの光を、被検眼の眼底における検査部位へ刺激光（刺激視標）として照射する。投光光学系は、眼底上における刺激光の投影位置を変更可能である。更に、刺激視標の形状および大きさが変更可能であってもよい。また、投光光学系は、視機能検査における背景光を検査部位全体へ照射してもよい。
【００１５】
刺激視標の眼底上における投影位置は、刺激光の発光位置が投光光学系の光軸と交差する方向に移動することで、切換えられてもよい。また、投光光学系の光路中に、刺激光を偏向する光スキャナを配置し、光スキャナの向きを変化させて、眼底上における刺激視標の投影位置が切換えられてもよい。刺激光源として、レーザー光源が採用される場合は、上記のような光スキャナが、投光光学系に設けられる。
【００１６】
Scotopic検査において、投光光学系は、背景光を暗順応に対応する輝度で照射すると共に、次のような第１波長帯で、刺激光および背景光を照射することができる。第１波長帯は、青色錐体細胞の感度ピークよりも長波長側に下限を持ち、緑色錐体細胞の感度ピークよりも短波長側に上限を持ち、且つ、少なくとも杆体細胞の感度ピークを含んだ波長帯である。第１波長帯の刺激光の輝度ピークが、杆体細胞の感度ピークと略一致していてもよい。
【００１７】
図１に、青色、緑色、赤色の各種の錐体細胞と、杆体細胞と、の各波長での感度を示す。図１において実線で示された３つのグラフが、紙面左から順に、青色錐体細胞の感度（Ｓ）、緑色錐体細胞の感度（Ｍ）、赤色錐体細胞の感度（Ｌ）を示している。点線で示されたグラフが、杆体細胞の感度（Ｒ）を示している。各々の感度は、それぞれ正規化されている。図１のグラフによれば、第１波長帯の下限は、420nmよりも長波長側であり、上限は、534nmよりも短波長側であることが望ましいことがわかる。なお、ここでは、刺激光の波長強度分布における半値幅の位置を基準として、上限、下限が定められる。
【００１８】
より好ましくは、第１波長帯の下限は、正規化された杆体細胞の感度（Ｒ）を示すグラフと、正規化された青色錐体細胞の感度（Ｓ）を示すグラフとの交点よりも長波長側であることが好ましい。また、上限は、正規化された杆体細胞の感度（Ｒ）を示すグラフと、正規化された緑色錐体細胞の感度（Ｍ）を示すグラフとの交点よりも短波長側であることが好ましい。
【００１９】
Photopic検査における刺激光の波長帯である第２波長帯は、青色、緑色、赤色の各種の錐体細胞において感度がある波長帯である。第２波長帯の光の波長スペクトルは、例えば白色光のように連続的な分布であってもよいし、とびとびにピークがある離散的な分布であってもよい。
【００２０】
第１波長帯の刺激光を実現するために、投光光学系は、バンドパスフィルタを有し、バンドパスフィルタを通過した光によって、検査部位へ刺激光が照射されてもよい。この場合、投光光学系の光源（刺激光源）は、第１波長帯よりもブロードバンドな光を発するものであってもよい。刺激光の波長帯を第２波長帯に切換えるために、バンドパスフィルタを投光光学系の光路に対して挿脱させる挿脱機構を有していてもよい。このとき、バンドパスフィルタが光路中へ挿入されることで、第１波長帯の刺激光が生成され、バンドパスフィルタが光路中から退避されることで、第２波長帯の刺激光が生成される。
【００２１】
また、杆体細胞の感度ピーク（498ｎｍ）付近の帯域の光を発する光源が、投光光学系の光源（刺激光源）として設けられることで、第１波長帯の刺激光が実現されてもよい。更に、第２波長帯の刺激光を発する第２刺激光源が設けられていてもよく、検査に応じて、発光させる光源を切換えてもよい。また、バンドパスフィルタの挿脱と、光源側での波長帯切替とが、組み合わせられてもよい。
【００２２】
また、Scotopic検査では、暗順応条件下での検査を行うために、投光光学系は、背景光を、暗順応に対応した輝度に制限することができる。このとき、投光光学系の光路中に、減光フィルタが配置されることで、背景光の輝度が制限されてもよいし、背景光の光源（刺激光の光源によって兼用されてもよい）から出射される光の光量が、制限されてもよい。また、両者が組み合わせられてもよい。また、杆体細胞の感度ピークとなる波長帯（４９８ｎｍ）は、錐体細胞も感度があるので、Scotopic検査において刺激光の輝度が強いと、第１波長帯の刺激光を投光することで、杆体細胞だけでなく、錐体細胞までを刺激してしまうため、杆体細胞の機能検査を、適正に行うことが出来なくなってしまうおそれがある。そこで、投光光学系は、背景光だけでなく、刺激光の輝度を、上記の構成によって、まとめで制限してもよい。
【００２３】
Scotopic検査における背景輝度（例えば、背景光の明るさ）は、Photopic検査に対して明らかに低い。このため、１台の装置で、Photopic検査と、Scotopic検査とを行う場合、背景光の輝度を変化させる構成を有していてもよい。即ち、上記の減光フィルタおよび減光フィルタを挿脱する挿脱機構とを有していてもよいし、出射する光の輝度を変更できる光源が投光光学系の光源（より詳細には背景光の光源）として設けられていてもよいし、両者が組み合わせられてもよい。
【００２４】
また、１台の装置で、Photopic検査と、Scotopic検査とを行う場合、Photopic検査において求められる刺激光と、Scotopic検査において求められる刺激光と、のそれぞれで要求される輝度の差は大きく、光源における輝度変更だけでは対応できない場合が考えられる。例えば、光源のダイナミックレンジが不足したり、低発光時（ここでは、主に、Scotopic検査において発光するとき）には、出力が不安定になるおそれがある。そこで、減光フィルタおよびその挿脱機構と、出射する光の輝度を変更できる光源と、を組み合わせて、光の輝度を調整することが好ましい。また、減光フィルタおよびその挿脱機構と、出射する光の輝度を変更できる光源と、を組み合わせて、輝度を調整する場合には、減光フィルタの製造誤差を、光源側で補正できる。つまり、製造時等に、減光フィルタを透過した光源からの光の輝度を測定し、所期する値となるように、Scotopic検査モードにおける光源からの光の出射量が調整されていてもよい。
【００２５】
投光光学系に、バンドパスフィルタと減光フィルタの双方が設けられる場合、これら２種類のフィルタは、１つの光学部材として一体化されていてもよい。なお、２種類の特性を併せ持つフィルタを、１つの組成で実現することは困難なので、バンドパスフィルタと減光フィルタとは、互いに異なる層として形成されていることが好ましい。例えば、硝材の一面にバンドパスフィルタが形成され、その一面とは反対の面に減光フィルタが形成されていてもよい。また、一方のフィルタは、硝材そのものであってもよい。バンドパスフィルタと減光フィルタとが、１つの硝材に形成されていることで、１つの駆動機構で２つのフィルタをまとめて挿脱できるので、１台の装置で、Photopic検査と、Scotopic検査とを行う場合は、装置構成を簡素化でき、有利である。
【００２６】
なお、投光光学系に配置される各種フィルタ（バンドパスフィルタ、減光フィルタを含む）の挿脱を行う駆動機構は、制御部からの信号に基づいて駆動されるアクチュエータであってもよいし、検者等によって直接操作されるメカニカルな機構であってもよい。
【００２７】
＜撮像光学系＞
撮像光学系は、照明光源からの赤外光を被検眼へ照射し、被検眼による赤外光の反射光を受光して被検眼の正面画像を得る。被検眼の正面画像は、前眼部画像であってもよいし、眼底画像であってもよい。Scotopic検査の間に撮像光学系から被検眼へ照射される赤外光の波長帯は、赤色錐体細胞の感度ピークに対して十分に離れていることが望ましい。つまり、赤色錐体細胞に対して実質的に感度がある波長帯よりも長波長側の光であることが望ましい。赤外光がScotopic検査の間に被検者が赤みを感じない程度の波長帯であることによって、杆体細胞の機能がより適正に検査可能となる。具体的には、赤外光の波長帯は、８７１ｎｍ以上の範囲であることが好ましい。
【００２８】
また、本装置は、光路結合部を有し、光路結合部によって、撮像光学系の光路と投光光学系の光路と、が結合されてもよい。即ち、この場合、刺激光源からの刺激光と、照明光源からの赤外光と、が投光光学系と撮像光学系との共通光路を介して被検眼へ照射される。投光光学系の光路中にバンドパスフィルタが利用される場合は、バンドパスフィルタは、投光光学系の独立光路に配置される。この場合、バンドパスフィルタによって、撮像光学系の赤外光の投受光が妨げられない。なお、バンドパスフィルタが、投光光学系と撮像光学系との共通光路に配置される場合、バンドパスフィルタは、第１波長帯のみならず、被検者が赤みを感じない範囲についても透過し、他の波長帯を遮光する波長透過特性を有しているとよい。
【００２９】
＜反応取得部＞
反応取得部は、刺激光による被検者の反応を取得する。視覚検査装置によって行われる視機能検査が、自覚検査である場合、反応取得部は、被検者の自覚的な反応を取得する。反応取得部によって取得される反応は、刺激光の照射を認知した検者による自覚的な反応であってもよいし、刺激光によって視細胞が刺激されたことに伴う生理的な反応であってもよい。前者の反応を取得する反応取得部の一例として、刺激光の照射に応答するため被検者が操作するＵＩ（ユーザインターフェイス）、および、ＵＩからの信号が入力される制御部を、挙げることができる。
【００３０】
＜制御部＞
制御部は、投光光学系を制御し、投光光学系から検査部位への刺激光の照射位置を少なくとも制御する。例えば、光源を含む視標ユニットにおける、刺激光の発光位置を制御することにより、或いは、投光光学系の光路中に設けられた光スキャナを制御することにより、眼底における刺激光の照射位置を変更させる。
【００３１】
また、制御部は、刺激光および背景光の照射条件を制御してもよい。より詳細には、例えば、制御部によって、刺激光、背景光またはその両方の光源が制御されてもよい。光源の制御は、光源から発せられる光における、光量制御であってもよいし、波長の切換制御であってもよい。また、バンドパスフィルタ、減光フィルタ等のフィルタの挿脱が、制御部によって制御されてもよい。
【００３２】
制御部は、刺激光の照射条件を制御し、検査モードを切換えてもよい。少なくとも、検査モードは、Scotopic検査モード（第１検査モード）と、Photopic検査モード（第２検査モード）と、の２つの間で切換えられる。Photopic検査モードにおいて、制御部は、眼底の検査部位に対して第２波長帯の光を照射する。制御部は、Scotopic検査モードでは、眼底の検査部位に対して、第１波長帯の光を照射する。また、Scotopic検査モードでは、Photopic検査モードに比べて、刺激光および背景光の輝度が低減される。
【００３３】
＜視機能検査＞
視機能検査の典型例である視野検査が、本装置によって実行されてもよい。視野検査は、静的視野検査と、動的視野検査と、に大別されるが、そのいずれが実行されてもよい。なお、静的視野検査では、制御部が投光光学系を制御することによって、網膜上の検査位置に対して、大きさが一定であり強さ（明るさ）が可変な刺激視標（スポット光等）を投影する。検者は、刺激視標を視認したときに、ＵＩ（例えば、ボタン等）を操作する。この処理を網膜の複数の位置について順次に実行することにより、部位ごとの網膜視感度が得られる。動的視野検査においては、網膜に対する刺激視標の投影位置が移動される。検者は、刺激視標を視認したときにＵＩ（例えば、ボタン等）を操作する。その結果、被検眼において視認可能な範囲（視野の形状）が得られる。また、制御部は、視機能検査（ここでは、視野検査）の間、撮像光学系によって眼底画像を随時取得し、眼底上における刺激光の投影位置をトラッキングしてもよい。これにより、被検眼Ｅの任意の位置への刺激を正確に行うことができる。
【００３４】
＜視細胞の分布を考慮した検査手法＞
本装置では、視細胞の密度分布（つまり、錐体細胞の密度分布、杆体細胞の密度分布、または、その両方）を考慮して視機能検査が実行されてもよい。
【００３５】
例えば、静的視野検査では、各種の検査パラメータが、視細胞の密度分布に基づいて設定されてもよい。
【００３６】
その一例として、制御部は、投光光学系を視細胞の密度分布に基づいて制御することによって、刺激視標の輝度、大きさ、および、形状のうち少なくともいずれか（検査パラメータの一例）を、検査部位における視細胞の密度に応じて設定してもよい。この場合、視細胞の密度が密な領域には、刺激視標を密に投影し、視細胞の密度が疎な領域には、刺激視標を疎に投影してもよい。
【００３７】
また、検査パラメータが視細胞の密度分布に基づいて設定される一例として、検査部位ごとの刺激視標の投影時間（検査パラメータの一例）が、検査部位における視細胞の密度に応じて設定されてもよい。更には、被検者による応答が、陽性、陰性、または、偽陽性のいずれであるかを判定するために予め設定される、被検者による応答時間（検査パラメータの一例）の閾値が、検査部位における視細胞の密度に応じて設定されてもよい。例えば、視細胞の密度が高い検査部位ほど、応答時間の閾値は小さな値であってもよい。これにより、より速やかに検査が行われやすくなる。以上のように、視細胞の密度分布を考慮して視機能検査が実行されることで、より効率的な検査が可能になる。
【００３８】
視細胞の密度分布は、例えば、被検眼と無関係な値であってもよいし、被検眼における実測値であってもよい。被検眼と無関係な値は、例えば、複数の患者の測定データの平均値であってもよいし、文献値であってもよい。また、近年は、ＡＯ−ＳＬＯ，ＡＯ−ＯＣＴ等の、網膜を細胞レベルで撮影する眼底撮影装置が提案されており、このような装置で撮影された画像を解析することで、被検眼における視細胞の密度分布（実測値）を得てもよい。
【００３９】
ところで、錐体細胞の密度分布と、杆体細胞の密度分布とは、図２に示すように異なっている。より詳細には、錐体細胞は、中心窩に集中しているのに対し、杆体細胞は、中心窩およびその近傍においては少なく、周辺部に多く分布している。
【００４０】
そこで、本装置では、Photopic検査モード（第２検査モード）では、錐体細胞の密度分布を考慮した検査パラメータが設定され、Scotopic検査モード（第１検査モード）では、杆体細胞の密度分布を考慮した検査パラメータが設定されてもよい。例えば、Photopic検査モードとScotopic検査モードとの間で、検査部位ごとにおける刺激視標が投影される密度が少なくとも異なっていてもよい。
【００４１】
また、視細胞の密度分布（ここでは、少なくとも杆体細胞の密度分布）を考慮したScotopic検査の例として、動的検査が、本装置で実行されてもよい。この場合、制御部は、投光光学系を制御することによって、眼底の周辺部から中心部へ刺激光を動的に移動させる（または、中心部から周辺部へ向けて刺激光を移動させてもよい）。また、刺激光の移動中において被検者がＵＩ（例えば、ボタン）を操作したときの刺激光の位置を示す応答位置データを取得する。刺激光の輝度を変更し、繰り返し検査が行われる。また、このような処理が、経線方向毎に行われる。一連の検査で得られた応答位置データに基づいて、杆体細胞の視感度分布を求めることができる。応答位置データに基づく視感度分布は、イソプター（等感度線）として、モニタへ表示されてもよい。イソプターは、例えば、眼底の画像と対応付けて表示されてもよい（図３参照）。図３では、符号ＬＥで示した線が、イソプターである。
【００４２】
図２に示すように、杆体細胞の分布範囲は、錐体細胞に比べて広いうえ、中心窩には少なく周辺部に多く分布している。また、杆体細胞は、動く対象に対して応答性が高い。このため、動的検査によるScotopic検査が行われることによって、杆体細胞の機能が、速やか、且つ、適正に評価されやすくなる。
【００４３】
Scotopic検査として動的検査と静的検査との両方が行われる場合、静的検査における検査パラメータが、事前に行われた動的検査の結果に基づいて設定されてもよい。例えば、静的検査において網膜上で刺激光が照射される範囲、刺激光の輝度の初期値、および、初期の大きさ、或いは、形状等が、動的検査の結果に基づいて設定されてもよい。
【００４４】
＜検査結果の表示＞
本装置による視機能検査の結果を示すデータは、眼底の画像と共に、且つ、各検査部位における検査結果が眼底の画像と対応づけられた状態で、モニタへ表示されてもよい。例えば、Scotopic検査モードにおいて動的検査が行われた場合に、動的検査によるScotopic検査の結果を示すイソプター（等感度線）を、眼底の画像にマージして表示してもよい。眼底の画像は、撮像光学系によって撮影される眼底の正面画像であってもよいし、他の画像であってもよい。例えば、ＯＣＴ（光干渉断層計）によって取得された、眼底の３次元データと対応付て、視機能検査の結果を示すデータが表示されてもよい。
【００４５】
＜まとめ＞
本実施形態の視覚検査装置では、Scotopic検査における刺激光として、第１波長帯（すなわち、波長帯が青色錐体細胞の感度ピークよりも長波長側かつ緑色錐体細胞の感度ピークよりも短波長側であって、少なくとも杆体細胞の感度ピークを含んだ波長帯）の光が検査部位へ照射される。これにより、杆体細胞のみが選択的に刺激されやすく、結果として杆体細胞の機能が適正に検査されやすい。結果、例えば、被検者における網膜の病気を、Scotopic検査を行うことで早期に発見しやすくなる。また、経過的に検査することで病気の進行を、より適正に把握できるようになる。
【００４６】
［実施例］
次に、図面を参照して、本開示における１つの実施例である視機能検査装置１（以下、「装置１」と省略する）について説明する。装置１は、マイクロペリメータと呼ばれる装置であって、眼底観察、眼底撮影、及び視野検査を一台で行うことができる。
【００４７】
＜外観構成＞
図４を参照し、装置１の外観構成を説明する。装置１は、主に、検査部３，および，操作部７（実施例における「ＵＩ」）を、少なくとも有する。検査部３には、装置１の主要な光学系（図５参照）が設置されている。検査部３の詳細構成は、後述する。
【００４８】
本実施例において、装置１は、基台１ａ，移動台２，顔支持ユニット５，および，駆動部６を有している。これらは、被検眼Ｅに対して検査部３の位置を調整するために利用される。基台１ａには、移動台２を介して検査部３が積載されている。移動台２は、基台１ａに対して左右方向（Ｘ方向）及び前後方向（Ｚ方向，作動距離方向）に移動可能に設けられている。移動台２が移動されることで、Ｘ方向、および、Ｚ方向に関して、被検眼Ｅと検査部３との位置関係が調整される。また、駆動部６は、移動台２に設けられている。駆動部６の駆動によって、検査部３が、被検眼Ｅに対して左右方向（Ｘ方向）、上下方向（Ｙ方向）及び前後方向（Ｚ方向）に移動可能となっている。顔支持ユニット５は、基台１ａに固定されており、被検者の顔を支持する。
【００４９】
装置１は、ＵＩとして、ジョイスティック７ａ、コントローラ７ｂ、応答ボタン７ｃを有する。このうち、ジョイスティック７ａおよびコントローラ７ｂは、検者によって操作され、応答ボタン７ｃは、被検者によって操作される。ジョイスティック７ａは被検眼Ｅに対して撮影部３を相対移動させるために用いられる。ジョイスティック７ａが傾倒されると図示無き摺動機構によって移動台２が基台１ａ上をＸＺ方向に摺動される。ジョイスティック７ａは、側面に回転ノブが配置され、頂部にスイッチが配置されている。回転ノブが回転操作されると、駆動部６が駆動されて、撮影部３がＹ方向に移動される。スイッチが操作されると、眼底像の撮影動作等が行われる。
【００５０】
コントロール部７ｂは、各種撮影・検査条件等を設定するために操作される。本実施形態のコントロール部７ｂはタッチパネルであり、モニタ８に組み付けられている。タッチパネルと共に、又は、その代わりに、マウス、キーボード等の他のＵＩが利用されてもよい。モニタ８（表示手段）には、被検眼Ｅの観察像、撮影像、各種検査結果等が表示される。応答ボタン７ｃは、視機能検査時などに患者が応答信号を入力するために利用される。つまり、実施例における「反応取得手段」の一部として利用される。
【００５１】
また、Scotopic検査において、錐体細胞への刺激を抑制するため、装置１の筐体は、黒塗りであってもよい。また、モニタ８（表示手段）は、少なくともScotopic検査が行われる際には、画面表示が低輝度で行われ、被検眼Ｅへの光の照射が抑制される。このほかにも、装置１は、Scotopic検査に適した外観構成を有していてもよい。
【００５２】
＜光学系＞
次に、図５を参照し、装置１における光学系の概略構成を説明する。
【００５３】
装置１は、照明光学系１０，観察・撮影光学系３０，および，検査光学系７０を有する。なお、装置１において、検査光学系７０は、固視標を被検眼Ｅへ投影する固視光学系を兼用している。
【００５４】
装置１では、照明光学系１０，および，観察・撮影光学系３０を主に用いて、被検眼の眼底画像が撮影される。照明光学系１０は、被検眼Ｅの眼底Ｅｒを照明する。観察・撮影光学系３０は、照明光学系１０によって照明された眼底Ｅｒを撮影する。
【００５５】
＜照明光学系＞
本実施例における照明光学系１０は、観察用の照明光として赤外光を照射する照明光源１１を有する。また、照明光学系１０は、撮影用の照明光として可視光（例えば、白色光）を照射する撮影光源１４を有する。照明光学系１０は、更に、ダイクロイックミラー１６、リングスリット１７、穴開きミラー２２、対物レンズ２５を含む。照明光源１１から発せられる赤外光と、撮影光源１４から発せられる可視光と、はダイクロイックミラー１６を通過することによって、同一の光路（つまり、ダイクロイックミラーから対物レンズ２５まで）を経由して、被検眼Ｅの眼底Ｅｒへ照射される。
【００５６】
本実施形態において、照明光源１１が出射する赤外光は、被検者が赤みを感じない程度の波長帯の光である。具体的には、８７１nm以上の波長帯の光が出射される。これにより、Scotopic検査の間に赤外光による観察が行われても、観察光による錐体細胞への刺激は行われないので、杆体細胞の機能を適正に検査できる。
【００５７】
＜観察・撮影光学系＞
観察・撮影光学系３０（実施例における「撮像光学系」）は、観察用の赤外光による眼底反射光を受光する第１の受光素子（撮像素子３８）と、撮影用の可視光による眼底反射光を受光する第２の受光素子（撮像素子３５）と、を有する。本実施例において、第１の受光素子（撮像素子３８）と、第２の受光素子（撮像素子３５）とは別体であるが、同一の受光素子によって、赤外光および可視光の両方が受光されてもよい。第１の受光素子（撮像素子３８）と、第２の受光素子（撮像素子３５）とは、光路分岐部３４によって分岐された２つの光路上にそれぞれ配置される。また、撮像素子３８と撮像素子３５とは、眼底Ｅｒと共役位置に配置されている。
【００５８】
実施例の光路分岐部３４には、跳ね上げミラーが用いられている。但し、光路分岐部３４には、跳ね上げミラー以外の光学素子が採用されてもよく、例えば、可視光と赤外光とを波長分離するダイクロイックミラーが用いられてもよい。光路分岐部（跳ね上げミラー）３４は、駆動機構３９によって駆動される。つまり、駆動機構３９が駆動することで、眼底Ｅｒの観察時には、跳ね上げミラーが光路内に挿入され、眼底Ｅｒの撮影時は光路外に退避される。
【００５９】
観察・撮影光学系３０は、被検眼Ｅと光路分岐部３４との間に、対物レンズ２５，穴開きミラー２２，撮影絞り３１、フォーカシングレンズ３２，および、結像レンズ３３を有する。対物レンズ２５から光路分岐部３４までが、赤外光による眼底反射光と、可視光による眼底反射光との共通光路となる。フォーカシングレンズ３２は移動機構４９によって駆動され、光軸Ｌ１に沿って移動できる。
【００６０】
光路分岐部３４の反射方向の光路には、ダイクロイックミラー３７、リレーレンズ３６、撮像素子３８（観察用）の順で配置されている。本実施形態のダイクロイックミラー３７は、赤外光（観察光）を反射し、可視光（刺激光）を透過する特性を有する。本実施形態の眼底撮影光学系は、対物レンズ２５から結像レンズ３３までの光路を眼底観察光学系と共用する。
【００６１】
以上のような構成により、撮像素子３８では、赤外光で照明された眼底Ｅｒの正面画像を、動画又は静止画として撮像される。また、撮像素子３５では、可視光で照明された眼底Ｅｒが静止画として撮像される。各撮像素子３５，３８によって撮像された眼底の正面画像は、モニタ８に表示される。
【００６２】
なお、本実施形態は一例であり、眼底Ｅｒを撮像できればよい。例えば、眼底Ｅｒ上でレーザ光を走査して、被検眼Ｅの眼底像を取得できてもよい。
【００６３】
＜検査光学系＞
検査光学系７０（実施例における「投光光学系」）は、眼底Ｅｒ上の検査部位へ刺激光を照射する。図５に示すように、検査光学系７０は、観察・撮影光学系３０と光路を一部兼用している。光路分岐部３４（跳ね上げミラー）の反射側であって、ダイクロイックミラー３７の透過側に、検査光学系７０の独立光路Ｌ２が形成されている。検査光学系７０の独立光路には、表示機７２が配置される。
【００６４】
表示器７２は、眼底Ｅｒと共役な位置に配置されている。表示器７２は刺激視標を表示できる。表示器７２に表示された刺激視標は、被検眼Ｅの網膜への刺激として用いられる。また、本実施例では、表示器７２から背景光が発せられる。表示器７２において、背景光の光源と、刺激光の光源とは、共通化されていてもよい。
【００６５】
表示器７２は、眼底Ｅｒに投影する刺激視標および固視標の階調（換言すれば、刺激光の輝度）を変更可能であってもよい。また、表示器７２は、更に、刺激視標および固視標の大きさ、および、形状を、任意に変更可能であってもよい。また制御部８０は、表示器７２に表示させる視標の表示位置を変更することで、眼底Ｅｒへの視標の投影位置を変更できる。本実施例において表示器７２はプロジェクターであり、白色光を発する光源、ＬＣＤ（液晶ディスプレイ）等を含む。
【００６６】
表示器７２において、白色光を発する光源としては、白色ＬＥＤが好ましい。白色ＬＥＤは、青色錐体細胞の強度ピークから、赤色錐体細胞の強度ピークまでの波長帯において、演色性の良好な光を出射できる。また、白色ＬＥＤは、光量の制御性、経年変化の少なさ、寿命、入手性が、いずれも良好である。
【００６７】
なお、刺激視標を生成する構成は、表示器７２に限るものではない。例えば、眼底Ｅｒ上でレーザ光を走査して、眼底Ｅｒ上（網膜上）に各種視標を形成してもよい。この場合、投光光学系７０は、表示器７２の代わりに、レーザー光源および光スキャナを有する。
【００６８】
また、本実施例において、表示器７２は固視標を表示できる。固視標は、検査視標と同時に表示されてもよい。表示器７２に表示された固視標は、被検眼Ｅの視線を誘導するために用いられる。前述したように、杆体細胞の分布は、中心窩において少なく、周辺部において多くなっている。このため、Scotopic検査において、固視標として単なるスポット光を投影したのでは、被検眼Ｅが所定の固視方向を向いたときに視認できないおそれがある。そこで、例えば、Scotopic検査の場合には、表示器７２は、リング状の固視標を表示することで、リング状の光束で固視標を形成し、中心窩の周囲へ投影する。リング状の光束は、略一定の位置へ、わずかに動かされながら投影されてもよい。このとき、リングが揺動、拡大・縮小、波打ちされてもよい。杆体細胞は、動く対象に対して応答性が高いので、固視を誘導できる。
【００６９】
また、検査光学系７０は、フィルタ７５を、更に有する。フィルタ７５は、駆動部７６によって独立光路Ｌ２に対して挿脱される。Photopic検査が行われる場合に、フィルタ７５は光路Ｌ２から退避され、Scotopic検査が行われる場合に、フィルタ７５は、光路L2へ挿入される。フィルタ７５は、刺激光の波長帯を、第１波長帯（青色錐体細胞の感度ピークよりも長波長側かつ緑色錐体細胞の感度ピークよりも短波長側であって、少なくとも杆体細胞の感度ピークを含んだ波長帯）に切換え、且つ、刺激光および背景光の輝度を低減させる。
【００７０】
フィルタ７５において光軸Ｌ２と交差するフィルタ２つの面のうち、一方には、バンドパスフィルタ７５ａが設けられており、他方にはＮＤフィルタ７５ｂが設けられている。フィルタ７５は、バンドパスフィルタ７５ａおよびＮＤフィルタ７５ｂの両方が、一体の光学部材として形成されている。本実施例では、バンドパスフィルタ７５ａとＮＤフィルタ７５ｂとは、それぞれ、硝材の表面に成膜により形成されたコート層として形成されている。
【００７１】
ＮＤフィルタ７５ｂは、減光フィルタの一種であって、図６に示すように、各波長において輝度を一様な比率で減少させる。バンドパスフィルタ７５ａを透過する光を、所期する輝度まで減光できる。本実施例において、ＮＤフィルタ７５ｂは、１０％から２０％程度の透過率を有していてもよい。本実施例では、Scotopic検査において被検眼Ｅへ照射される刺激光の輝度は、0.007ａｓｂ以下となる範囲に制限される。この輝度の条件は、フィルタ７５の挿入と、表示器７２における輝度制御と組み合わせることで満たされてもよいし、フィルタ７５の挿入のみで満たされてもよい。
【００７２】
バンドパスフィルタ７５ａは、図７に示すような波長透過特性を示す。即ち、ピークである４９８ｎｍで杆体細胞の感度ピークと一致し，両側半値幅４０ｎｍの特性を有している。但し、必ずしもこれに限られるものではない。例えば、バンドパスフィルタ７５ａの透過域のピークが杆体細胞の感度ピークと一致する場合において、両側半値幅は、１０ｎｍ〜７０ｎｍの範囲であってもよい。勿論１０ｎｍ以下の幅であってもよい。また、バンドパスフィルタ７５ａのピークはわずかに杆体細胞の感度ピークに対してずれていてもよい。また、長波長側、または、短波長側の一方に、透過域が偏っていてもよい。バンドパスフィルタ７５ａが透過する波長帯（換言すれば、第１波長帯）は、刺激光の輝度についてもあわせて考慮し、錐体細胞への光刺激の影響でScotopic検査時の刺激視標が視認されない範囲において、適宜設定されてもよい。
【００７３】
白色ＬＥＤからの光は、青色側にも良好に波長が分布しているので、刺激光の光源として白色ＬＥＤが採用された場合は、特許文献１のように、ショートパスフィルタが採用された装置では、青色錐体細胞がScotopic検査時においても、刺激光によって刺激されやすくなってしまうことが考えらえる。これに対し、本実施例では、バンドパスフィルタ７５ａによって、青色錐体細胞が感度を持つ波長帯が良好にカットされる。その結果、白色ＬＥＤを採用しても、良好にScotopic検査を行うことができる。
【００７４】
＜制御系＞
次に、図８を参照し、装置１の制御系を説明する。装置１は、主要な制御系として、制御部８０を有する。制御部８０は、装置全体の動作を制御する。実施例において、制御部８０は、ＣＰＵ（プロセッサ）、ＲＡＭ、ＲＯＭ等を含む。制御部８０にはメモリ８３が接続されている。メモリ８３には、各種プログラム、種類が異なる複数の検査パターン、初期値等が記憶されている。メモリ８３には、撮影画像等の各種情報を記憶することができる。
【００７５】
更に、制御部８０には、移動部６，照明光源１１、撮影光源１４、撮像素子３５、撮像素子３８、駆動部６、移動機構４９、表示器７２、ＵＩ７（ジョイスティック７ａ、コントロール部７ｂ、応答ボタン７ｃ）、および、モニタ８、等が接続されている。
【００７６】
＜動作説明＞
次に、図９のフローチャートを参照して、視機能検査が行われる場合の装置１の動作を説明する。
【００７７】
検査に先立って、装置１は、検者による検査モードの選択指示を受け付ける（Ｓ１）。このとき、少なくともPhotopic検査モードと、Scotopic検査モードと、の間で、検査モードが選択可能であってもよい。コントロール部７ｂ等が操作されることで、いずれかの検査モードが選択される。
【００７８】
（各モード共通の動作）
いずれの検査モードでも、継続的に、照明光源１１から赤外光を眼底Ｅへ照射させる。そして、赤外光の眼底反射光に基づく観察画像を、観察・撮影光学系３０の撮像素子３８からの信号に基づいて取得する。この観察画像に基づいて、被検眼Ｅに対する光学系の位置がアライメントされ、適正アライメント状態において、検査が開始される。また、本実施例では、検査の間も、継続的に、赤外光による観察画像が取得される。検査中、観察画像に基づいてトラッキングが行われる。すなわち、表示器７２における刺激視標の表示位置が、観察画像に基づいて制御されることにより、観察画像上の所期する位置へ、刺激視標が呈示されてもよい。
【００７９】
（Photopic検査モード）
検査モードの選択指示を受け付けた結果として、Photopic検査モードの選択指示を受け付けた場合（Ｓ２：Photopic）、制御部８０は、刺激光の照射条件を、Photopic検査用の条件に設定する（Ｓ３）。ここでは、制御部８０は、フィルタ７５を光路Ｌ２から退避させ、更に、表示器７２から出射される刺激光の輝度を調整する。その結果、刺激光の波長帯が、第２波長帯に設定される。Photopic検査では、刺激光の輝度調整は、表示器７２に含まれる光源の制御によって行われてもよい。また、検査中、制御部８０は、表示器７２を制御して固視標を呈示する。
【００８０】
本実施例では、Photopic検査モードにおいて静的視野検査が実行される。検査に先立って、検査部位が設定される（Ｓ４）。まず、制御部８０は、眼底画像を、撮影・観察光学系３０を介して取得し、モニタ８に表示する。検者は、コントロール部７ｂを操作して、検査部位を設定する。検査部位は、光刺激を与えて視機能を検査する網膜部位である。例えば、検査部位の配置パターンである検査パターンＰが選択され、モニタ８上の眼底画像を介して、眼底に対する検査パターンＰの位置が設定される（図１０参照）。
【００８１】
次いで検者は、コントロール部７ｂを操作して、検査を開始させる（Ｓ５）。制御部８０は、検査パターンＰに含まれる複数の検査視標のうちの１つを表示器７２に所定の明るさで表示する。被検者は、視野の中央に呈示される固視標を凝視しつつ、視野の周辺に検査視標を感じたら応答ボタン７ｂを押す。制御部８０は、応答ボタン７ｂが押されたことを検出、又はタイムアウトにて、次の検査視標の表示に移行する。制御部８０は、検査部位（検査指標の表示位置）、刺激輝度（検査指標の明るさ）、及び被検者の応答有無をメモリ８３に関連付けて記憶する。制御部８０は、検査視標の表示位置の変更と検査視標の明るさの変更とを繰り返す。制御部８０は、検査パターンＰの各検査視標に対応する閾値（検査視標が見える明るさと、検査視標が見えない明るさとの境界）を取得すると、視機能検査を終了する。取得された閾値は、検査視標の表示位置と関連付けてメモリ８３に記憶される。
【００８２】
次に、制御部８０は、カラー眼底像の取得を行い、カラー眼底像と、閾値マップと、が合成された合成画像を、視機能検査結果としてモニタ８に表示させる（Ｓ６）。詳細には、制御部８０は、基準画像の各部位と撮影画像の各部位とが略一致するように、撮影画像に対してレジストレーション処理（拡大縮小，回転等）を行い、更に、検査パターンＰの各検査視標に対応する眼底像上の検査部位の箇所に、閾値に関する情報を重ねる。
【００８３】
（Scotopic検査モード）
Scotopic検査モードでは、検査前に数十分程度、被検者を暗室で待機させる。これにより、Scotopic検査に際して杆体細胞の感度を向上させておく。
【００８４】
ここでは、制御部８０は、Scotopic検査として、動的検査と、静的検査とを、順番に実行する。まず、動的検査が実行され、次に、静的検査が、動的検査の検査結果に基づいて実行される。
【００８５】
Scotopic検査モードが選択された場合（Ｓ２：Scotopic）、制御部８０は、刺激光の照射条件を、Scotopic検査用の条件に設定する（Ｓ７）。ここでは、制御部８０は、フィルタ７５を光路Ｌ２へ挿入し、更に、表示器７２から出射される刺激光の輝度を調整する。その結果、刺激光の波長帯が、第１波長帯に切換えられ、背景光の輝度が0.007ａｓｂ以下（本実施例において、暗順応と対応する輝度）に制限される。また、検査中、制御部８０は、表示器７２を制御してリング状の固視標を呈示する。
【００８６】
次に、動的視野検査が実行される（Ｓ８）。動的視野検査では、制御部８０は、表示器７２を制御して、表示器７２上における刺激視標の表示位置を、周辺から中心にかけて移動させる。これによって、眼底Ｅｒの周辺から中心に向けて、刺激視標の呈示位置が移動する。被検者Ｅｒは、刺激視標を視認したタイミングで、応答ボタン７ｃを操作する。操作時における刺激視標の位置（例えば、中心窩に対する位置）を示すデータを、応答位置データとして制御部８０は、記憶部８３へ記憶させる。制御部８０は、刺激視標の輝度を変更して、同一軌跡で刺激視標の呈示位置を移動させ、検査を繰り返すことで、その軌跡における応答位置データを、刺激視標の輝度毎に取得する。応答位置データは、眼底画像上の位置データであってもよい。同様の動作が、異なる経線方向について行われる。その結果として得られた応答位置データは、杆体細胞の視感度の分布データと等価である。また、制御部８０は、イソプターを、応答位置データに基づいて生成する。イソプターは、観察・撮影光学系で得られた眼底画像にマージされ、モニタ８へ表示される。
【００８７】
本実施例では、次に、静的検査が実行される（Ｓ９）。検査時の動作は、Photopic検査のときと略同じであるため、本実施例のScotopic検査において特有の部分を説明する。動的視野検査によって得られた視感度分布は、被検者が視認してから応答ボタン７ｃを操作するまでのタイムラグによる誤差が含まれている。そこで、静的検査では、各検査部位における刺激光の輝度の初期値を、動的検査で得られた視感度と対応する輝度と同じ、或いは、それよりも所定量大きな輝度に設定する。杆体細胞は、周辺部に多く分布しているので、広範囲を検査する必要があるが、静的検査における刺激光の輝度の初期値を、動的検査で得られた視感度の分布データに基づいて設定することで短時間での検査を実現できる。
【００８８】
次に、制御部８０は、カラー眼底像の取得を行い、カラー眼底像と、閾値マップと、が合成された合成画像を、視機能検査結果としてモニタ８に表示させる（Ｓ６）。
【００８９】
以上、実施形態に基づいて本開示を説明したが、本開示は上記実施形態に限定されるものではなく、種々の変形が可能である。
【００９０】
例えば、上記実施形態において、視機能検査装置は、刺激光に対する被検者の自覚的な反応を得る自覚検査装置であったが、他覚検査装置であってもよい。例えば、他覚検査装置は、刺激光の照射に対する被検者の生理的な反応を、自動で取得する装置であってもよい。例えば、反応は、刺激光を照射する前後での眼底画像の変化として取得してもよいし、網膜電位図（ＥＲＧ）検査装置等のように、電気生理的な反応を取得してもよい。
【００９１】
また、上記実施形態では、視機能検査装置一例である視野計の例として、マイクロペリメータを実施例として示したが、必ずしもこれに限られるものではなく、ハンフリー型、ゴールドマン型等の視野計に、等が例示される。
【００９２】
また、実施例として、Scotopic検査において、動的検査の後、動的検査の検査結果に基づく静的検査が続けて実行される場合を示したが、必ずしもこれに限られるものではない。例えば、動的検査の検査結果に基づく静的検査は、動的検査とは異なる日に行われてもよい。また、Scotopic検査として、動的検査、および、静的検査の一方のみが実行されてもよい。
【符号の説明】
【００９３】
１      視機能検査装置
７ｃ    応答ボタン
３０    観察・撮影光学系
７０    検査光学系
７２    表示器
７５    フィルタ
７５ａ  バンドパスフィルタ
７５ｂ  ＮＤフィルタ
７６    駆動部
８０    制御部
【図１】
2018201835.tif 000003
【図２】
2018201835.tif 000004
【図３】
2018201835.tif 000005
【図４】
2018201835.tif 000006
【図５】
2018201835.tif 000007
【図６】
2018201835.tif 000008
【図７】
2018201835.tif 000009
【図８】
2018201835.tif 000010
【図９】
2018201835.tif 000011
【図１０】
2018201835.tif 000012